(57)【要約】【課題】簡単な動作で容器の蓋を穿孔することができ、ストローが脱落したり容器内に落ち込んでしまうことがなく、蓋材を穿孔する位置が一定して内容物が摂取し易いストロー一体型容器を提供する。【解決手段】容器本体１０と、開口部１５の周縁から容器本体の外側に向かって突出する突片１４と、内容物を摂取するためのストロー２０を有し、突片は、ストローの上端部を収納し上端側が開口したストロー収納部１６と、ストローが通過するストロー孔１８を有し、容器本体と突片は、突片を開口部上に折返し可能な折返し部１７で連結され、底面１１の周縁から下方に周壁状の底壁１２が延在し、ストローはストロー孔を通過して上下にスライド可能であり、容器本体の開口部とストロー収納部の開口が蓋材１３で封止されてなる。【選択図】図１
2020147288.tif 000002
【特許請求の範囲】
【請求項１】
底面と側壁を有して上端が開口部となった容器本体と、
開口部の周縁から容器本体の外側に向かって突出する突片と、
内容物を摂取するためのストローを有し、
前記突片は、前記ストローの上端部を収納し上端側が開口したストロー収納部と、前記ストローが通過するストロー孔を有し、
前記容器本体と前記突片は、前記突片を前記開口部上に折返し可能な折返し部で連結され、
前記底面の周縁から下方に周壁状の底壁が延在し、
前記ストローは前記ストロー孔を通過して上下にスライド可能であり、
前記容器本体の開口部と前記ストロー収納部の開口が蓋材で封止されてなることを特徴とするストロー一体型容器。
【請求項２】
前記ストロー収納部内に収納される前記ストローの上端部の最外径が前記ストロー孔の直径よりも大きいことを特徴とする請求項１に記載のストロー一体型容器。
【請求項３】
前記ストローの長さが、前記容器本体の上端から前記底面までの長さに前記ストロー収納部の高さを加えたものよりも長く、前記容器本体の上端から前記底壁下端までの長さよりも短いことを特徴とする請求項１または２に記載のストロー一体型容器。
【請求項４】
前記ストローの上端が斜めに切断され、前記蓋材を押圧穿孔可能とされていることを特徴とする請求項１から３のいずれかに記載のストロー一体型容器。
【請求項５】
前記ストロー孔の周縁に、前記ストローの角度を規制するガイド縁が設けられていることを特徴とする請求項１から４のいずれかに記載のストロー一体型容器。
【発明の詳細な説明】
【技術分野】
【０００１】
本発明は、内容物を摂取するためのストローが一体的に設けられた容器に関し、ストローで容器の蓋を穿孔するのが容易で、ストローが脱落するおそれがなく、内容物が摂取し易いストロー一体型容器に関する。
【背景技術】
【０００２】
従来から、果汁飲料やゼリー状飲料を収納した容器に、飲料を摂取するためのストローを添付したり、ストローと一体としたりした容器が知られ、広く利用されている。ストローが添付された容器では、プラスチックフィルム等により包装されて容器側面に接着されるなどして添付された短いストローや伸縮式のストローを取り出して、容器本体に差し込んで使用していた。
【０００３】
例えば特許文献１には、カップ状の容器の周面に、ストローを収納したストロー収納袋を固着し、蓋材のストロー穿孔予定部位をストロー収納袋の上端部で覆った飲料容器が開示され、ストロー穿孔予定部位がストロー収納袋で覆われることで簡易な構成で衛生性が保たれるとしている。
【０００４】
しかしながら、特許文献１の様にストローが添付された容器は次のような欠点があった。
（イ）容器に添付されるストローは、長さ的に飲み口が短かったり、飲んでいるうちにストローが容器内に入ってしまうことがある。
（ロ）ストローが伸縮式のストローである場合、ストローを取り出して伸ばす手間がかかり、また伸ばす際につなぎ目から抜けてしまったり、その部分から空気が入り飲みづらいことがある。
【０００５】
またストローと一体とされた飲料容器としては、例えば特許文献２に、容器側面の内側に容器本体と同一素材および型でストロー部が形成され、同一素材で上下の蓋が形成された飲料用容器が開示され、廃棄の際に分別の必要が無く、一体のまま廃棄できるとしている。
【０００６】
しかしながら、特許文献２の様にストローが一体化された容器は次のような欠点があった。
（ハ）ストロー部分の加工が複雑であり、製造に手間がかかる。
（ニ）封止されたストローの先端を切り取る必要があり、またストローが折畳まれて収納されるためにストローに付いた折癖により飲み難くなってしまうことがあった。
【先行技術文献】
【特許文献】
【０００７】
【特許文献１】特開２０１０−１０５７１１号公報
【特許文献２】特開２００１−３０１７５９号公報
【発明の概要】
【発明が解決しようとする課題】
【０００８】
本発明は、以上の様な欠点を解決するためになされたものであり、簡単な動作で容器の蓋を容易に穿孔することができ、ストローが脱落するおそれや、容器内に落ち込んでしまうことがなく、蓋材を穿孔する位置が一定して内容物が摂取し易いストロー一体型容器を提供することを課題とする。
【課題を解決するための手段】
【０００９】
上記課題を解決するため、本発明の請求項１に係る発明は、
底面と側壁を有して上端が開口部となったカップ状の容器本体と、
開口部の周縁から容器本体の外側に向かって突出する突片と、
内容物を摂取するためのストローを有し、
前記突片は、前記ストローの上端部を収納し上端側が開口したストロー収納部と、前記ストローが通過するストロー孔を有し、
前記容器本体と前記突片は、前記突片を前記開口部上に折返し可能な折返し部で連結され、
前記底面の周縁から下方に周壁状の底壁が延在し、
前記ストローは前記ストロー孔を通過して上下にスライド可能であり、
前記容器本体の開口部と前記ストロー収納部の開口が蓋材で封止されてなることを特徴とするストロー一体型容器である。
【００１０】
また、本発明の請求項２に係る発明は、
前記ストロー収納部内に収納される前記ストローの上端部の最外径が前記ストロー孔の直径よりも大きいことを特徴とする請求項１に記載のストロー一体型容器である。
【００１１】
また、本発明の請求項３に係る発明は、
前記ストローの長さが、前記容器本体の上端から前記底面までの長さに前記ストロー収納部の高さを加えたものよりも長く、前記容器本体の上端から前記底壁下端までの長さよりも短いことを特徴とする請求項１または２に記載のストロー一体型容器である。
【００１２】
また、本発明の請求項４に係る発明は、
前記ストローの上端が斜めに切断され、前記蓋材を押圧穿孔可能とされていることを特徴とする請求項１から３のいずれかに記載のストロー一体型容器である。
【００１３】
また、本発明の請求項５に係る発明は、
前記ストロー孔の周縁に、前記ストローの角度を規制するガイド縁が設けられていることを特徴とする請求項１から４のいずれかに記載のストロー一体型容器である。
【発明の効果】
【００１４】
本発明によれば、ストロー収納部にストローの上端部分を収納して脱落し難く、蓋材で容器本体の開口部と共にストロー収納部の開口が封止され、内容物を摂取するときには折返し部で突片を容器本体の開口部上に折り返して、ストローを押し込むだけで容易に蓋材の一定の場所を穿孔することができ、ストローを取り外したり、引き伸ばしたりする必要が無く、容易に内容物の摂取ができるストロー一体型容器を提供できる。
【００１５】
またストローの上端部の最外径がストロー孔よりも大きいことで、ストローがストロー孔からより脱落し難い状態で容器を保持可能である。
【００１６】
またストローの長さを、容器本体の上端から底面までの長さにストロー収納部の高さを加えたものよりも長く、容器本体の上端から底壁下端までの長さよりも短いものとした場合は、ストローが容器の底面に確実に届いて内容物を残り無く摂取できると共に内部に落ち込むことがない。
【００１７】
またストローの上端が斜めに切断されたものとした場合は、蓋材の穿孔がより容易で確実に行える。
【００１８】
またストロー孔にガイド縁が設けられた場合は、ストローが傾いてしまうことがなく、蓋材の穿孔がより確実にでき、ストローが容器内に落ち込んでしまうおそれがより少ない。
【図面の簡単な説明】
【００１９】
【図１】本発明のストロー一体型容器の一形態の外観模式図である。
【図２】本発明のストロー一体型容器の突片の拡大図である。
【図３】ストローで蓋材を穿孔する様子の説明図である。
【図４】ストローを容器本体に挿入する様子の説明図である。
【図５】本発明のストロー一体型容器の一形態の縦断面図および上面図である。
【図６】ガイド縁が設けられた突片の拡大図および説明図である。
【図７】本発明のストロー一体型容器の別の形態例の外観模式図である。
【発明を実施するための形態】
【００２０】
以下、本発明の実施の形態を、図面を参照しながら詳細に説明する。なお本発明は以下に説明する実施形態に限定されるものではない。
【００２１】
図１は、本発明のストロー一体型容器の一形態の外観模式図である。左図は蓋材１３を被せた状態、右図は説明のため蓋材１３の一部を切り取った状態の図である。ストロー一体型容器（以下、単に容器ということがある）１は、カップ状の容器本体１０の底面１１の周縁から底壁１２が下方に延びていわゆる高台状となっており、上端が開口部１５となっている。開口部１５の周縁から、突片１４が外側に突出している。開口部１５と突片１４は折返し部１７を介して連結されている。折返し部１７は、その部位から折り返しやすくするため設けられ、予め設けられた折目線、溝、ミシン目などにより形成されるがこれに限定されない。また折返し部の位置を分かりやすくするための線を印刷などにより蓋材１３に設けても良い。なお容器本体１０、突片１４および折返し部１７は、射出成形等の公知の方法で一体成形されていると、コストの面や後述する穿孔の位置が安定することなどから好ましい。
【００２２】
突片１４はストロー２０の上端部を収納するストロー収納部１６が形成され、その上端側は開口し、ストロー２０が差し込まれるストロー孔１８を有している。蓋材１３は、開口部１５の周縁のフランジ部１９、および突片１４のストロー収納部１６以外の部分で接着されて容器本体１０およびストロー収納部１６を封止している。ストロー２０はストロー孔に差し込まれた態様で上端部をストロー収納部１６に収納されて容器本体１０と実質的に一体化されている。ストローの衛生性を保持するために、容器本体１０とストロー２０の全体をシュリンクフィルム２５などでさらに包んでも良い。
【００２３】
図２は、本発明のストロー一体型容器の突片の拡大図である。突片１４には、ストロー収納部１６が形成され、ストロー２０の上端部が収納されている。ストロー２０はストロー孔１８を通過して下方に延びているが、ストロー２０の上端部の最外径Ｒ１はストロー孔１８の直径Ｒ２よりも大きくなっているため、ストロー２０の上端部がストロー孔１８から抜け落ちてしまうことはない。一方、ストロー収納部１６に収納されない部分ではストロー２０の最外径はストロー孔１８の直径Ｒ２よりも小さくなっており、ストロー孔１８を通って上下に自在にスライドできる。この様なストロー２０の形状としては、例えば、上端部が太く、反対側が細くなったいわゆるテーパー状としたり、上端部の一部に外周側に膨出してストロー孔１８の直径Ｒ２よりも大きくなった部分を設けた形状とすることなどが可能である。
【００２４】
突片１４は、折返し部１７の部位で開口部１５側に折り返すことで、図３の左図の様にストロー収納部１６が開口部上となる様にできる。そしてストロー２０を上方から押し込
むことで、図３右図の様にストローの先端２１が蓋材１３を押し破って穿孔し、ストロー２０を容器本体内に差し込むことができる。このとき、ストローの先端２１を斜めにカットしておくと、より穿孔しやすくなるため好ましい。なお、シュリンクフィルムで全体を包む場合は、図１右図の様に予めシュリンクフィルム２５を開封しておく。
【００２５】
図４は、ストローを容器本体に挿入する様子の説明図である。突片１４を折返し部１７で折り返したとき、ストロー２０は図４左図の様に容器本体上の一定の位置に直立した状態となり、使用者はストロー２０を下方に押し込むだけで蓋材１３を穿孔して容器本体１０内に差し込むことができる。すなわち、ストローを容器から取り外したり、引き伸ばしたりする余分な動作が必要なく、差し込む位置に迷うこともなく、容器本体１０の一定の位置に容易に差し込むことができ、ストロー２０での内容物の摂取のしやすさがばらつくことがない。
【００２６】
本発明の容器においては、ストロー２０を差し込んで、その先端２１が容器本体１０の底面１１に達したときでも、反対側の端部２２は容器本体１０の開口部およびストロー収納部１６よりも上方となる様な態様であり、ストロー２０が容器内部に落ち込んでしまうことがない。そのため、使用者は内容物を余すことなくストロー２０で摂取することができる。そのためには本発明のストロー一体型容器は、各部の寸法が図５の縦断面図に示すような値となっていると好ましい。
【００２７】
図５において、ストロー２０の長さＨは、容器本体１０のフランジ１９の下面から底壁１２の下端までの高さｈ１、ストロー収納部１６の高さｈ２、容器本体の蓋材１３の下面から底面１１までの高さｈ３に蓋材１３の２枚分の厚さ２ｔを加えたものに対して、
ｈ１＞Ｈ＞ｈ２＋ｈ３＋２ｔ
の関係となっていると好ましい。これにより、ストロー２０は先端２１を底面１１に到達させることができて内容物を余すことなく摂取できると共に、先端２１を底面１１に到達させたときでもストロー２０の反対側の端部２２が確実にストロー孔１７から突出し、容器本隊１０の内部に落ち込むことがない。
【００２８】
図６は、本発明の別の実施形態の例を示すもので、ガイド縁が設けられた突片の拡大図および説明図である。本実施形態のストロー一体型容器２では、ストロー孔１８の周縁にガイド縁１８ａが立設されている。ガイド縁１８ａがあることで、ストロー２０の方向がより強く制約されるため、例えば強い外力が加わった場合などでも、図６ｂに示すストロー２０´の様にストローが傾いてしまうおそれがより少なく、ストローが容器内部に落ち込んでしまうおそれがより少なくできる。
【００２９】
容器本体１０の形状は特に限定されず、カップ状以外に、図７に例示する容器３、４の様な円柱状、角柱状として突片１４ｂ、１４ｃが突出した形状などでも良く、公知のプラスチック樹脂から適宜選択して成形した樹脂成形体、板紙を折り曲げて貼り合せたブリックパック体などにより形成できる。また開口部は図１の容器１のように上端全体が開口したもの以外に、図７の容器３、４の様に天板３１の一部に開口部１５ｂ、１５ｃが設けられ、蓋材１３ｂ、１３ｃが貼着されている態様であっても良い。
【００３０】
蓋材は、内容物を密封するために必要な特性、例えば強度、バリア性などを有すると共に、ストローによって穿孔可能な材料であれば特に制限は無いが、例えばプラスチックフィルムやその積層体、プラスチックフィルムと紙との積層体、無機物蒸着フィルム、金属箔、紙と金属箔の積層体などが例示できる。
【００３１】
以上説明したように、本発明のストロー一体型容器によれば、付属させたストローを取り外すような余分な動作が必要なく、簡単な動作で容器の蓋の一定の位置を容易に穿孔し
てストローを差し込むことができ、ストローが脱落するおそれや、容器内に落ち込んでしまうことがなく、蓋材を穿孔する位置が一定して内容物が摂取し易いストロー一体型容器を提供することができる。
【符号の説明】
【００３２】
１、２、３、４・・・ストロー一体型容器
１０・・・容器本体
１１・・・底面
１２・・・底壁
１３、１３ｂ、１３ｃ・・・蓋材
１４、１４ｂ、１４ｃ・・・突片
１５、１５ｂ、１５ｃ・・・開口部
１６・・・ストロー収納部
１７・・・折返し部
１８・・・ストロー孔
１８ａ・・・ガイド縁
１９・・・フランジ
２０・・・ストロー
２１・・・先端
２２・・・端部
３１・・・天板
【図１】
2020147288.tif 000003
【図２】
2020147288.tif 000004
【図３】
2020147288.tif 000005
【図４】
2020147288.tif 000006
【図５】
2020147288.tif 000007
【図６】
2020147288.tif 000008
【図７】
2020147288.tif 000009